(57)【特許請求の範囲】
【請求項１】
液体を吸収する吸収コアを有し、着用者の股部を含む領域にあてがわれるおむつ本体と、
略シート状の部材により形成され、前記おむつ本体の縦方向の後方側の部分における横方向の両側の縁部にそれぞれ接合され、前記おむつ本体から前記横方向の外方側に延びる左右のファスニング基材と、
前記左右のファスニング基材の肌面側にそれぞれ設けられた第１付着部と、
少なくとも外面側の表面が前記ファスニング基材よりも大きい摩擦係数を有する素材からなり、前記左右のファスニング基材の外面側における前記横方向の外方側の先端領域に付与された防滑エレメントと、
前記おむつ本体の前方側の部分における外面側に設けられ、前記１付着部が着脱自在に付着される第２付着部と、
を備えることを特徴とする使い捨ておむつ。
【請求項２】
請求項１に記載の使い捨ておむつにおいて、
前記防滑エレメントは、間欠的に前記ファスニング基材の前記外面側に付与されていることを特徴とする使い捨ておむつ。
【請求項３】
請求項２に記載の使い捨ておむつにおいて、
前記防滑エレメントは、前記横方向に対して間欠的に前記ファスニング基材の前記外面側に付与されていることを特徴とする使い捨ておむつ。
【請求項４】
請求項３に記載の使い捨ておむつにおいて、
前記防滑エレメントは、前記横方向に対して互いに間隔をあけて前記縦方向に沿って延びるようにストライプ状に、前記ファスニング基材の前記外面側に付与されていることを特徴とする使い捨ておむつ。
【請求項５】
請求項１ないし請求項４のいずれかに記載の使い捨ておむつにおいて、
前記防滑エレメントは、
前記ファスニング基材よりも大きい摩擦係数を有し、前記ファスニング基材に塗布された塗布材により形成されることを特徴とする使い捨ておむつ。
【請求項６】
請求項１ないし請求項４のいずれかに記載の使い捨ておむつにおいて、
前記防滑エレメントは、
外面側の表面が前記ファスニング基材よりも大きい摩擦係数を有し、前記ファスニング基材に接合されたシート材により形成されることを特徴とする使い捨ておむつ。
【請求項７】
請求項１ないし請求項６のいずれかに記載の使い捨ておむつにおいて、
前記左右のファスニング基材は、
前記横方向の内方側が前記おむつ本体と接合された本体部と、
前記縦方向に間隔をあけて前記本体部から前記横方向の外方側に延設された２つの舌片部と、
を備え、
前記第１付着部は、前記ファスニング基材の前記各舌片部にそれぞれ設けられ、
前記防滑エレメントは、前記ファスニング基材の前記各舌片部の外面側における少なくとも前記横方向の外方側の先端領域に付与されることを特徴とする使い捨ておむつ。
【発明の詳細な説明】
【技術分野】
【０００１】
本発明は、所謂テープタイプの使い捨ておむつに関する。
【背景技術】
【０００２】
テープタイプの使い捨ておむつでは、例えば特許文献１に記載のように、おむつ本体の縦方向の後方側における横方向の両側に、左右のファスニング部材が設けられている。ファスニング部材は、不織布により形成されたファスニング基材と、そのファスニング基材の付与された付着エレメントとを備えて構成されている。おむつ本体の外面側における縦方向の前方側の領域には、ファスニング部材の付着エレメントが着脱自在に付着される付着部が付与されている。
【０００３】
そして、ファスニング部材をおむつ本体の付着部に付着させる際には、ファスニング基材の先端部等を掴んで引っ張りながら、付着エレメントを付着部に付着させる。特に大人用のおむつでは、ファスニング基材をしっかりと掴んで強い力で引っ張らなければならない場合がある。
【０００４】
しかし、従来の使い捨ておむつでは、ファスニング基材が手から滑り抜けてしまい、おむつの装着作業に手間取る場合がある。特に、大人用のおむつでは、作業者が手に樹脂フィルム製の手袋を装着していることがある。そのような場合、不織布製のファスニング基材と手袋との間でファスニング基材がさらに滑りやすくなり、作業性がさらに悪くなる。
【０００５】
なお、ファスニング基材の滑り防止対策として、ファスニング基材に筋状の変形部を付与したものがある（特許文献２）。しかし、ファスニング基材は不織布等の柔軟性の高い素材により形成されるため、ファスニング基材が手で掴まれたときに、筋状の変形部の凹凸が容易に変形して無くなってしまい、十分な滑り防止効果が得られないおそれがある。特に、おむつの装着作業を行う作業者が樹脂フィルム製の手袋を装着している場合には、筋状の変形部による滑り防止効果がさらに損なわれるおそれがある。
【先行技術文献】
【特許文献】
【０００６】
【特許文献１】特開２００７−１６７１３１号公報
【特許文献２】特開２００３−１８０７５２号公報
【発明の概要】
【発明が解決しようとする課題】
【０００７】
そこで、本発明の解決すべき課題は、おむつの装着作業時にファスニング基材が手から滑り抜けるのを確実に防止できる使い捨ておむつを提供することである。
【課題を解決するための手段】
【０００８】
上記の課題を解決するため、請求項１の発明では、液体を吸収する吸収コアを有し、着用者の股部を含む領域にあてがわれるおむつ本体と、略シート状の部材により形成され、前記おむつ本体の縦方向の後方側の部分における横方向の両側の縁部にそれぞれ接合され、前記おむつ本体から前記横方向の外方側に延びる左右のファスニング基材と、前記左右のファスニング基材の肌面側にそれぞれ設けられた第１付着部と、少なくとも外面側の表面が前記ファスニング基材よりも大きい摩擦係数を有する素材からなり、前記左右のファスニング基材の外面側における前記横方向の外方側の先端領域に付与された防滑エレメントと、前記おむつ本体の前方側の部分における外面側に設けられ、前記１付着部が着脱自在に付着される第２付着部とを備える。
また、請求項２に記載の発明では、請求項１に記載の使い捨ておむつにおいて、前記防滑エレメントは、間欠的に前記ファスニング基材の前記外面側に付与されている。
また、請求項３に記載の発明では、請求項２に記載の使い捨ておむつにおいて、前記防滑エレメントは、前記横方向に対して間欠的に前記ファスニング基材の前記外面側に付与されている。
また、請求項４に記載の発明では、請求項３に記載の使い捨ておむつにおいて、前記防滑エレメントは、前記横方向に対して互いに間隔をあけて前記縦方向に沿って延びるようにストライプ状に、前記ファスニング基材の前記外面側に付与されていることを特徴とする使い捨ておむつ。
【０００９】
また、請求項５の発明では、請求項１ないし請求項４のいずれかの発明に係る使い捨ておむつにおいて、前記防滑エレメントは、前記ファスニング基材よりも大きい摩擦係数を有し、前記ファスニング基材に塗布された塗布材により形成される。
【００１０】
また、請求項６の発明では、請求項１ないし請求項４のいずれかの発明に係る使い捨ておむつにおいて、前記防滑エレメントは、外面側の表面が前記ファスニング基材よりも大きい摩擦係数を有し、前記ファスニング基材に接合されたシート材により形成される。
【００１１】
また、請求項７の発明では、請求項１ないし請求項６のいずれかの発明に係る使い捨ておむつにおいて、前記左右のファスニング基材は、前記横方向の内方側が前記おむつ本体と接合された本体部と、前記縦方向に間隔をあけて前記本体部から前記横方向の外方側に延設された２つの舌片部とを備え、前記第１付着部は、前記ファスニング基材の前記各舌片部にそれぞれ設けられ、前記防滑エレメントは、前記ファスニング基材の前記各舌片部の外面側における少なくとも前記横方向の外方側の先端領域に付与される。
【発明の効果】
【００１２】
請求項１に記載の発明に係る使い捨ておむつによれば、少なくとも外面側の表面がファスニング基材よりも大きい摩擦係数を有する素材からなる防滑エレメントが、左右のファスニング基材の外面側における横方向の外方側の先端領域に付与されている。それ故、ファスニング基材が手で掴まれたときに、従来のファスニング基材に付与された筋状の変形部のように変形部の凹凸が容易に変形して無くなってしまい、滑り防止効果が損なわれることがない。その結果、おむつの装着作業時にファスニング基材が手から滑り抜けるのを確実に防止できる。また、作業者が樹脂フィルム製の手袋を装着している場合にも、ファスニング基材に付与された防滑エレメントにより確実に滑り防止効果が発揮される。
【００１３】
請求項５に記載の発明によれば、ファスニング基材に塗布材を塗布することにより防滑エレメントを形成できるため、防滑エレメントを簡単に形成でき、おむつの製造ラインを簡略化できる。
【００１４】
請求項６に記載の発明によれば、ファスニング基材に接合したシート材によって防滑エレメントを形成するため、防滑エレメントの素材、構成及び滑り防止能力等の選択の幅を拡大できる。
【００１５】
請求項７に記載の発明によれば、手から滑り抜けることなく、ファスニング基材の各舌片部をしっかりと掴んで付着エレメントの付着作業を行うことができる。
【図面の簡単な説明】
【００１６】
【図１】本発明の一実施形態に係る使い捨ておむつの装着状態を示す斜視図である。
【図２】図１の使い捨ておむつのファスニング部材の構成を示す図である。
【図３】図２のファスニング部材のＡ−Ａ線に沿った断面の構成を示す断面図である。
【図４】図２に示す構成の変形例を示す図である。
【図５】図２に示す構成の他の変形例を示す図である。
【発明を実施するための形態】
【００１７】
図１ないし図３を参照して、本発明の一実施形態に係る使い捨ておむつ（以下、単に「おむつ」という）について説明する。
【００１８】
このおむつ１０は、図１及び図２に示すように、おむつ本体１１と、左右のファスニング部材１２と、付着シート１３とを備えて構成されている。おむつ本体１１は、着用者が排泄した排泄液（例えば、尿又は便に含まれる水分等）を吸収する吸収コア等を有し、着用者の股部を含む領域にあてがわれる。なお、本発明に係る第１付着部には後述する付着エレメント２２が相当しており、第２付着部には付着シート１３が相当している。
【００１９】
左右のファスニング部材１２は、おむつ本体１１の縦方向Ｙの後方側に位置する後方側の部分における横方向Ｘの両側の縁部に接合され、おむつ１の着用者の体への固定に用いられる。より具体的には、各ファスニング部材１２は、図２及び図３に示すように、ファスニング基材２１と、付着エレメント２２と、防滑エレメント２３とを備えている。
【００２０】
ファスニング基材２１は、不織布等により形成された略シート状の部材であり、本体部２１１と上側及び下側の舌片部２１２とを有している。本体部２１１の横方向Ｘの内方側の部分は、接着剤等の接合手段によりおむつ本体１１と接合される。上側及び下側の舌片部２１２は、本体部２１１の横方向Ｘの外方側の端部から縦方向Ｙに間隔をあけて横方向Ｘの外方側に延設されている。各舌片部２１２の肌面側には、後述する付着エレメント２２が接着剤、超音波溶着又は加熱溶着等の接合手段により接合されている。また各舌片部２１２における付着エレメント２２の横方向Ｘの外方側の部分には、つまみ部２１３が設けられている。このつまみ部２１３は、ファスニング部材１２を後述する付着シート１３に着脱する際に作業者がファスニング基材２１を摘むための部分である。
【００２１】
付着エレメント２２は、後述する付着シート１３に対して着脱自在に付着可能となっており、ファスニング基材２１の上下の舌片部２１２の肌面側に接着剤等の接合手段によりそれぞれ接合されている。
【００２２】
付着エレメント２２と後述する付着シート１３とは、着脱自在に係合するループ材とフック材とによって構成されるいわゆる面ファスナーを構成しており、例えば、付着エレメント２２にフック材が用いられ、付着シート１３にループ材が用いられる。付着シート１３の表面には、複数のループ構造が形成されている。付着エレメント２２の表面には、付着シート１３のループ構造に着脱自在に係合する複数のフック構造が形成されている。なお、変形例として、付着エレメント２２にループ材を用い、付着シート１３にフック材を用いてもよい。また、付着エレメント２２及び付着シート１３として、互いに着脱自在に付着できれば面ファスナーに限らず、任意の構成を採用できる。例えば、付着エレメント２２及び付着シート１３として、粘着テープ及びその粘着テープが着脱自在に付着される付着シートを用いてもよい。
【００２３】
防滑エレメント２３は、少なくとも外面側の表面がファスニング基材２１を形成する素材（例えば、不織布）よりも大きい摩擦係数を有する素材からなっており、左右のファスニング基材２１の各舌片部２１２の外面側における少なくとも横方向Ｘの外方側の先端領域に付与されている。図２に示す構成では、例えば、防滑エレメント２３がファスニング基材２１の各舌片部２１２の外面側の表面のほぼ全域を覆うように付与されている。
【００２４】
付着シート１３は、略シート状の形態を有し、おむつ本体１１の外面側における前方側の部分に接着剤等の接合手段により接合される。そして、この付着シート１３に、左右のファスニング部材１２に付与された付着エレメント２２が着脱自在に付着される。
【００２５】
上記のように、本実施形態に係るおむつ１０では、防滑エレメント２３が左右のファスニング基材２１の各舌片部２１２の外面側における少なくとも横方向Ｘの外方側の先端領域に付与されている。それ故、ファスニング基材２１の各舌片部２１２が手で掴まれたときに、従来のファスニング基材に付与された筋状の変形部のように変形部の凹凸が容易に変形して無くなってしまい、滑り防止効果が損なわれることがない。その結果、おむつ１０の装着作業時にファスニング基材２１の各舌片部２１２が手から滑り抜けるのを確実に防止でき、各舌片部２１２をしっかりと掴んで付着エレメント２２の付着作業を行うことができる。また、作業者が樹脂フィルム製の手袋を装着している場合にも、ファスニング基材２１に付与された防滑エレメント２３により確実に滑り防止効果が発揮される。
【００２６】
以下では、ファスニング基材２１に付与される防滑エレメント２３のより具体的な構成例又は変形例について説明する。防滑エレメント２３は、例えばファスニング基材２１の外面側に塗布された塗布材により形成してもよい。この場合の塗布材としては、ファスニング基材２１を構成する素材（例えば、不織布）よりも大きい摩擦係数を有する塗布材料（例えば、ホットメルト接着剤、特にゴム系のホットメルト接着剤）が用いられる。この構成によれば、ファスニング基材２１に塗布材を塗布することにより防滑エレメント２３を形成できるため、防滑エレメント２３を簡単に形成でき、おむつ１０の製造ラインを簡略化できる。
【００２７】
また、ファスニング基材２１の外面側の表面に図４に示すようにストライプ状に塗布された塗布材により防滑エレメント２３を形成してもよい。この場合、塗布材は横方向Ｘに互いに隙間が空けられ、縦方向Ｙに沿って延びる複数の塗布部２４にストライプ状に塗布される。このような構成により、防滑エレメント２３が付与されたファスニング基材２１の柔軟性を維持しながら、ファスニング基材２１に防滑エレメント２３を付与することができる。また、防滑エレメント２３を形成する塗布材の使用量も抑制できる。
【００２８】
また、他の構成例として、防滑エレメント２３をファスニング基材２１に接合したシート材により形成してもよい。この場合のシート材としては、外面側の表面がファスニング基材２１の素材（例えば、不織布）よりも大きい摩擦係数を有するものが用いられる。シート材の具体例としては、例えばゴム製シート等が挙げられる。防滑エレメント２３とファスニング基材２１との接合には、接着剤、加熱溶着又は超音波溶着等の接合手段が用いられる。この構成によれば、ファスニング基材２１に接合したシート材によって防滑エレメント２３を形成するため、防滑エレメント２３の素材、構成及び滑り防止能力等の選択の幅を拡大できる。
【００２９】
また、さらに他の構成例として、防滑エレメント２３をファスニング基材２１の肌面側における先端領域（例えば、つまみ部２１２の肌面側表面）等にも付与してもよい。
【００３０】
また、図５に示す変形例では、ファスニング基材２１に１つの付着エレメント２２が付与されるとともに、ファスニング基材２１における付着エレメント２２の横方向Ｘの外方側の部分に１つのつまみ部２１３が設けられている。この変形例においても、防滑エレメント２３が、ファスニング基材２１の外面側における少なくとも横方向Ｘの外方側の先端領域に付与されている。
【符号の説明】
【００３１】
１０  おむつ、１１  おむつ本体、１２  ファスニング部材、１３  付着シート、２１  ファスニング基材、２１１  本体部、２１２  舌片部、２１３  つまみ部、２２  付着エレメント、２３  防滑エレメント、Ｘ  横方向、Ｙ  縦方向。
【図１】
0005528146.tif 000002
【図２】
0005528146.tif 000003
【図３】
0005528146.tif 000004
【図４】
0005528146.tif 000005
【図５】
0005528146.tif 000006